(57)【特許請求の範囲】
【請求項１】
吸収性物品であって、
吸収体、前記吸収体の着用者側である内側の主面を覆うトップシート、および、前記吸収体の外側の主面を覆うバックシートを有する略矩形状の本体部と、
前記本体部の長手方向の一方側の端部において、一の角部の前記バックシート上に設けられる角部止着部と、
を備え、
前記本体部の前記一方側の端部において、前記吸収体の外縁にて前記トップシートと前記バックシートとが接合されたエッジ部が設けられており、
外装物品の内側において着用者からの排泄物を受ける吸収パッドとして使用される際に、前記角部止着部が前記外装物品の内側に止着され、
男性用尿吸収物品として使用される際に、前記本体部の長手方向の前記一方側の端部において、前記一の角部およびもう１つの角部が前記トップシート側へと折り返され、前記角部止着部により互いに止着されることにより陰茎を包む筒状部が形成され、前記本体部が前記バックシートを外側に向けて２つ折りにされて前記本体部の他方側の部位が前記筒状部に重ねられ、前記エッジ部が、前記バックシート側に折り返され、前記角部止着部または前記バックシート上に設けられた他の止着部により前記バックシート上に止着され、前記エッジ部が前記バックシート側に折り返された状態で、前記角部止着部の少なくとも一部が前記エッジ部と重ならないことを特徴とする吸収性物品。
【請求項２】
請求項１に記載の吸収性物品であって、
前記角部止着部が面ファスナであり、前記本体部の前記一方側の端部において、前記バックシートの外側の面が不織布により形成されていることを特徴とする吸収性物品。
【請求項３】
請求項１または２に記載の吸収性物品であり、
前記一の角部側の側縁部における前記エッジ部の前記長手方向の長さが１０ｍｍ以上４０ｍｍ以下であることを特徴とする吸収性物品。
【請求項４】
請求項１ないし３のいずれかに記載の吸収性物品であって、
前記本体部の前記一方側の端部の前記バックシート上において、前記長手方向に垂直な幅方向のおよそ中央から前記幅方向の両側に伸びる中央止着部をさらに備え、
前記バックシート側に折り返された前記エッジ部により、前記中央止着部が覆われることを特徴とする吸収性物品。
【請求項５】
請求項１ないし３のいずれかに記載の吸収性物品であって、
前記本体部の前記一方側の端部において、前記角部止着部との間に止着部非存在領域を挟み、前記もう１つの角部の前記バックシート上に前記角部止着部とは個別に設けられるもう１つの角部止着部をさらに備えることを特徴とする吸収性物品。
【請求項６】
請求項１ないし５のいずれかに記載の吸収性物品であって、
前記本体部の前記長手方向の前記他方側の端部において、前記本体部の一の角部の前記バックシート上に他の角部止着部をさらに備えることを特徴とする吸収性物品。
【請求項７】
請求項１ないし６のいずれかに記載の吸収性物品であって、
前記本体部の前記長手方向のほぼ全長に亘って前記本体部の前記長手方向に垂直な幅方向の両側に設けられた一対の側壁部をさらに備えることを特徴とする吸収性物品。
【発明の詳細な説明】
【技術分野】
【０００１】
本発明は、着用者からの排泄物を受ける吸収性物品に関する。
【背景技術】
【０００２】
使い捨ておむつでは、少量の排尿時であってもおむつ全体を交換する必要があるため、使用者にとって経済的な負担が大きくなってしまう。そこで、従来より、使い捨ておむつの内側において安価な補助吸収具（いわゆる、尿取りパッド等）により着用者の排泄部を覆い、少量の排尿時には補助吸収具のみを交換することが行われている。
【０００３】
このような補助吸収具の１つとして、使い捨ておむつの内側に取り付けられるシート状の吸収パッドが利用されており、吸収パッドの取り付けの際には、使い捨ておむつの着用者側の面に、吸収パッドのバックシート上に設けられた面ファスナや粘着テープ等の止着部を止着することが行われている。例えば、特許文献１では、吸収性物品の縦方向の末端領域に係止ファスナ等を設けることにより、吸収性物品が取り付けられた使い捨ておむつを着用する際に、吸収性物品が縒れたりたくれることを抑制する技術が開示されている。
【０００４】
また、他の種類の補助吸収具として、使い捨ておむつや下着の内側において着用者の陰茎に装着される男性用尿吸収物品も利用されている。例えば、特許文献２では、２つ折りにされた平板状の吸収性物品の両側縁部を接着して形成される袋状の男性用吸収パッドにおいて、折り目の一方側に陰茎を袋内部に挿入するための十字形状のスリット部が形成されている。
【特許文献１】特開２０００−１３９９８２号公報
【特許文献２】特開２００２−３３６２８５号公報
【発明の開示】
【発明が解決しようとする課題】
【０００５】
ところで、特許文献２の男性用吸収パッドは、当然、女性に対して装着することはできない。一方、特許文献１のシート状の吸収性物品は、男性および女性の双方に対して装着することができるが、男性に対して装着した場合、着用者の動作により吸収性物品の内側で陰茎の位置や向きが変わってしまい、吸収性物品から尿が漏れてしまう恐れがある。
【０００６】
したがって、病院や介護施設等では、外装物品の内側に取り付けられる様々なサイズの吸収パッドや男性用尿吸収物品等の多種類の補助吸収具が使用されることになる。その結果、着用者に装着する際に適切な種類の補助吸収具を選別したり、多種類の補助吸収具を種類毎に管理するために多大な労力を要している。
【０００７】
本発明は、上記課題に鑑みなされたものであり、一の吸収性物品を、吸収パッドおよび男性用尿吸収物品のいずれの目的でも使用することを目的としている。
【課題を解決するための手段】
【０００８】
請求項１に記載の発明は、吸収性物品であって、吸収体、前記吸収体の着用者側である内側の主面を覆うトップシート、および、前記吸収体の外側の主面を覆うバックシートを有する略矩形状の本体部と、前記本体部の長手方向の一方側の端部において、一の角部の前記バックシート上に設けられる角部止着部とを備え、前記本体部の前記一方側の端部において、前記吸収体の外縁にて前記トップシートと前記バックシートとが接合されたエッジ部が設けられており、外装物品の内側において着用者からの排泄物を受ける吸収パッドとして使用される際に、前記角部止着部が前記外装物品の内側に止着され、男性用尿吸収物品として使用される際に、前記本体部の前記一方側の端部において、前記一の角部およびもう１つの角部が前記トップシート側へと折り返され、前記角部止着部により互いに止着されることにより陰茎を包む筒状部が形成され、前記本体部が前記バックシートを外側に向けて２つ折りにされて前記本体部の他方側の部位が前記筒状部に重ねられ、前記エッジ部が、前記バックシート側に折り返され、前記角部止着部または前記バックシート上に設けられた他の止着部により前記バックシート上に止着され、前記エッジ部が前記バックシート側に折り返された状態で、前記角部止着部の少なくとも一部が前記エッジ部と重ならない。
【００１１】
請求項２に記載の発明は、請求項１に記載の吸収性物品であって、前記角部止着部が面ファスナであり、前記本体部の前記一方側の端部において、前記バックシートの外側の面が不織布により形成されている。
【００１２】
請求項３に記載の発明は、請求項１または２に記載の吸収性物品であり、前記一の角部側の側縁部における前記エッジ部の前記長手方向の長さが１０ｍｍ以上４０ｍｍ以下である。
【００１３】
請求項４に記載の発明は、請求項１ないし３のいずれかに記載の吸収性物品であって、前記本体部の前記一方側の端部の前記バックシート上において、前記長手方向に垂直な幅方向のおよそ中央から前記幅方向の両側に伸びる中央止着部をさらに備え、前記バックシート側に折り返された前記エッジ部により、前記中央止着部が覆われる。
【００１４】
請求項５に記載の発明は、請求項１ないし３のいずれかに記載の吸収性物品であって、前記本体部の前記一方側の端部において、前記角部止着部との間に止着部非存在領域を挟み、前記もう１つの角部の前記バックシート上に前記角部止着部とは個別に設けられるもう１つの角部止着部をさらに備える。
【００１５】
請求項６に記載の発明は、請求項１ないし５のいずれかに記載の吸収性物品であって、前記本体部の前記長手方向の前記他方側の端部において、前記本体部の一の角部の前記バックシート上に他の角部止着部をさらに備える。
【００１６】
請求項７に記載の発明は、請求項１ないし６のいずれかに記載の吸収性物品であって、前記本体部の前記長手方向のほぼ全長に亘って前記本体部の前記長手方向に垂直な幅方向の両側に設けられた一対の側壁部をさらに備える。
【発明の効果】
【００１７】
本発明では、吸収性物品を吸収パッドおよび男性用尿吸収物品のいずれの目的でも使用することができる。また、吸収性物品の着用感を向上することができる。さらに、吸収性物品を容易に着用することができる。請求項２の発明では、エッジ部を容易に止着することができる。請求項６の発明では、吸収性物品を迅速に着用することができる。請求項７の発明では、吸収性物品からの排泄物の漏出を防止することができる。
【発明を実施するための最良の形態】
【００１８】
図１は、本発明の第１の実施の形態に係る吸収性物品１の構成を示す平面図である。吸収性物品１は、外装物品である使い捨ておむつの内側（すなわち、着用者側）に取り付けられて着用者からの排泄物を受ける吸収パッドとして使用され、また、使い捨ておむつの内側において着用者の陰茎に装着されて尿を吸収する男性用尿吸収物品としても使用される。図１では、吸収性物品１の着用者側を手前側にして吸収性物品１を描いている。
【００１９】
図１に示すように、吸収性物品１は、略矩形状かつ略シート状の本体部２、および、本体部２の長手方向（すなわち、図１中の上下方向）のほぼ全長に亘って長手方向に垂直な幅方向の両側に設けられた一対の側壁部３を備える。また、吸収性物品１は、本体部２の長手方向の両側の端部２６，２７のそれぞれにおいて、２つの角部２５の着用者側とは反対側（すなわち、図１中の奥側）にそれぞれ個別に設けられる略矩形状の角部止着部である角部面ファスナ４１を備える。
【００２０】
図２は、吸収性物品１を図１中に示すＡ−Ａの位置で長手方向に垂直な面で切断した断面図である。図１および図２に示すように、本体部２の内側に設けられた一対の側壁部３のそれぞれには、長手方向に伸びる弾性部材３１が接合されており、図１に示すように吸収性物品１を広げた状態では、弾性部材３１は伸張状態となっている。吸収性物品１では、弾性部材３１が収縮することにより、本体部２の側方において側壁部３が着用者側に向かって立ち上がり、着用時に着用者の足の付け根近傍に当接する立体ギャザーが形成される。なお、各側壁部３には複数の弾性部材３１が設けられてもよい。
【００２１】
側壁部３は、撥水性または不透液性の不織布（例えば、スパンボンド不織布やメルトブロー不織布、ＳＭＳ（スパンボンド・メルトブロー・スパンボンド）不織布）やプラスチックフィルム、あるいは、これらの複合材料により形成される。吸収性物品１の快適性向上の観点からは、側壁部３は通気性を有することが好ましい。弾性部材３１としては、ポリウレタン糸、ポリウレタンフィルム、天然ゴム等が用いられる。
【００２２】
図１および図２に示すように、本体部２は、吸収体である吸収コア２２、吸収コア２２の内側（すなわち、着用者側）の主面を覆うトップシート２１、および、吸収コア２２の外側（すなわち、着用者側とは反対側）の主面を覆うバックシート２３を備える。トップシート２１およびバックシート２３は、ホットメルト接着剤等により吸収コア２２の周囲にて互いに接合される。以下の説明では、図１に示す本体部２の長手方向の両側の端部２６，２７においてトップシート２１とバックシート２３とが接合された部位２４（すなわち、吸収コア２２の長手方向の外縁（正確には、外縁よりも外側）に設けられた部位）を「エッジ部２４」という。図１に示すように、エッジ部２４の長手方向の長さは幅方向においてほぼ均一であり、本実施の形態では、約２０ｍｍとされる。
【００２３】
トップシート２１は透液性の材料、例えば、親水性繊維により形成された不織布であり、着用者からの排泄物の水分を速やかに捕捉して吸収コア２２へと移動させる。トップシート２１として利用される不織布は、例えば、ポイントボンド不織布やエアスルー不織布、スパンレース不織布であり、これらの不織布を形成する親水性繊維としては通常、セルロースやレーヨン、コットン等が用いられる。なお、トップシート２１として、表面を界面活性剤により親水処理した疎水性繊維（例えば、ポリプロピレン、ポリエチレン、ポリエステル、ポリアミド、ナイロン）にて形成された透液性の不織布が利用されてもよく、また、開孔を有するプラスチックフィルムが利用されてもよい。
【００２４】
吸収コア２２は、親水性繊維（例えば、粉砕したパルプ繊維やセルロース繊維）に粒状の吸水性ポリマー（例えば、ＳＡＰ(Super Absorbent Polymer)）を混合したものをティッシュペーパーや透液性不織布等の被覆シートにより包み込んで形成され、トップシート２１を透過した水分を吸収して迅速に固定する。親水性繊維を包む被覆シートは、親水性繊維および吸水性ポリマーとホットメルト接着剤により接合されて、親水性繊維の型崩れ、および、吸水性ポリマーの脱落（特に、吸水後における脱落）を防止する。
【００２５】
バックシート２３は撥水性または不透液性の不織布であり、トップシート２１を透過した水分、および、吸収コア２２に一旦吸収された水分が、本体部２の着用者側とは反対側にしみ出すのを防止する。バックシート２３として利用される不織布は、例えば、スパンボンド不織布やメルトブロー不織布、ＳＭＳ不織布であり、必要に応じて撥水処理が施されてもよい。
【００２６】
図１に示すように、４つの角部面ファスナ４１は、本体部２の吸収コア２２が存在する領域に配置されており、図２に示すように、バックシート２３上にホットメルト接着剤等の接着剤４０により接着されている。角部面ファスナ４１は微小なフック部材を多数有し、吸収性物品１が使い捨ておむつの内側において着用者からの排泄物を受ける吸収パッドとして使用される際には、当該使い捨ておむつの内側の不織布や布地中の繊維群に着脱可能に止着される。これにより、使い捨ておむつの内側において吸収性物品１がずれてしまうことを防止することができ、着用者からの排泄物を吸収性物品１により確実に受けることができる。
【００２７】
次に、吸収性物品１が男性用尿吸収物品として使用される際の装着方法について説明する。図３．Ａないし図３．Ｄは、装着途上の吸収性物品１を示す図である。図３．Ａは、吸収性物品１の一方の端部近傍を示す底面図であり、図３．Ｂは、吸収性物品１の平面図である。図３．Ｃは、吸収性物品１の斜視図であり、図３．Ｄは、２つ折りにされた吸収性物品１を後述する筒状部２００側から見た平面図である。なお、図３．Ｃ中では、側壁部３の図示を省略している。
【００２８】
吸収性物品１が装着される際には、まず、図３．Ａに示すように、本体部２の長手方向の一方側の端部２６において、エッジ部２４がバックシート２３側に折り返されて２つの角部面ファスナ４１に止着される。吸収性物品１では、この状態（すなわち、エッジ部２４が折り返された状態）で、２つの角部面ファスナ４１の一部がエッジ部２４とは重ならずにバックシート２３上においてエッジ部２４から露出している。
【００２９】
続いて、図３．Ｂに示すように、本体部２の端部２６において、一の角部２５（すなわち、図３．Ｂ中の右側の角部２５）がトップシート２１側へと折り返され、続いて、もう１つの角部２５（すなわち、図３．Ｂ中の左側の角部２５）が、トップシート２１側へと折り返される。そして、先に折り返された角部２５の角部面ファスナ４１が、後から折り返された角部２５のトップシート２１に止着されることにより、２つの角部２５が互いに止着されて陰茎を包む筒状部２００が形成される。吸収性物品１が着用者に装着された状態においては、筒状部２００の自由端２０１が着用者の陰茎の付け根近傍に位置する。
【００３０】
ここで、筒状部２００が形成されるためには、エッジ部２４がバックシート２３側に折り返された状態において、本体部２の角部２５における角部面ファスナ４１の少なくとも一部が、エッジ部２４から露出している（すなわち、エッジ部２４とは重ならない）ことが必要である。角部面ファスナ４１をエッジ部２４から露出させるという観点からは、角部２５の側縁部（すなわち、幅方向の端部）におけるエッジ部２４の長手方向の長さは４０ｍｍ以下とされることが好ましい。一方、吸収性物品１の製造においてトップシート２１とバックシート２３とを容易に接合するとともに、吸収コア２２が吸水して膨張した状態においてもトップシート２１とバックシート２３との接合を維持するという観点からは、エッジ部２４の長手方向の長さは１０ｍｍ以上とされることが好ましい。
【００３１】
次に、図３．Ｃに示すように、本体部２がバックシート２３を外側に向けて２つ折りにされ、本体部２の他方側の部位２０２（すなわち、筒状部２００が形成される側とは反対側のシート状の部位であり、以下、「シート部２０２」という。）が、図３．Ｄに示すように筒状部２００に重ねられる。このとき、本体部２は、シート部２０２の長手方向の長さが筒状部２００の長手方向の長さよりも長くなるように２つ折りにされる。吸収性物品１では、図３．Ｃに示す筒状部２００の外側に位置する角部面ファスナ４１（すなわち、筒状部２００の形成に寄与していない方の角部面ファスナ４１）が、シート部２０２のトップシート２１に止着されることにより、筒状部２００がシート部２０２に止着される。
【００３２】
その後、図３．Ｄに示すシート部２０２のバックシート２３上に設けられている角部面ファスナ４１が、使い捨ておむつ等の外装物品の内側に止着されることにより、吸収性物品１が使い捨ておむつ等に止着される。
【００３３】
以上に説明したように、吸収性物品１は、外装物品の内側において着用者からの排泄物を受ける吸収パッドとして使用することができるとともに、着用者の陰茎に装着されて尿を吸収する男性用尿吸収物品としても使用することができる。このように、吸収性物品１は、吸収パッドおよび男性用尿吸収物品のいずれの目的でも使用することができるため、病院や介護施設等において、着用者への装着の際に適切な種類の吸収性物品を選別するための労力を軽減することができる。また、使用する吸収性物品の種類を減らして、吸収性物品の管理に要する労力を軽減することもできる。
【００３４】
吸収性物品１が吸収パッドとして使用される際には、角部面ファスナ４１により吸収性物品１が使い捨ておむつ等の外装物品の内側に止着されることにより、吸収性物品１のずれや縒れを防止して吸収性物品１からの尿等の排泄物の漏れを防止することができる。また、本体部２のトップシート２１側において、幅方向の両側に側壁部３が設けられることにより、吸収性物品１の側方から排泄物が漏出することを確実に防止することができる。
【００３５】
吸収性物品１では、本体部２の一方側の端部２６において、両側の角部２５に角部面ファスナ４１が設けられることにより、吸収性物品１を外装物品に対してより強固に止着することができる。また、本体部２の他方側の端部２７にも角部面ファスナ４１が設けられることにより、吸収性物品１の外装物品に対する止着をさらに強固なものとすることができる。
【００３６】
一方、吸収性物品１が男性用尿吸収物品として使用される際には、本体部２の一方側の端部２６において、一の角部２５に設けられた角部面ファスナ４１により２つの角部２５が互いに止着されて陰茎を包む筒状部２００が形成される。これにより、陰茎に対する吸収性物品１の密着性を向上することができるとともに陰茎の移動を制限することができ、吸収性物品１から使い捨ておむつ等の外装物品への尿の漏れを防止することができる。
【００３７】
吸収性物品１では、装着時に本体部２が２つ折りにされてシート部２０２が筒状部２００に重ねられることにより、筒状部２００から外側に流れ出る尿をシート部２０２により吸収して吸収性物品１からの尿の漏れを確実に防止することができる。また、シート部２０２の長手方向の長さが筒状部２００よりも長いため、シート部２０２が筒状部２００よりも長手方向において突出して着用者の腹側の肌に接する。これにより、筒状部２００の自由端２０１側（すなわち、陰茎の付け根側）から尿が流れ出ることがあっても、流れ出た尿をシート部２０２により吸収することができるため、吸収性物品１からの尿の漏れをより確実に防止することができる。さらに、本体部２のトップシート２１側において、幅方向の両側に側壁部３が設けられることにより、吸収性物品１の側方から尿等の排泄物が漏出することを確実に防止することができる。
【００３８】
吸収性物品１では、本体部２の端部２６において、筒状部２００を形成する角部面ファスナ４１とは反対側の角部面ファスナ４１により、筒状部２００がシート部２０２に対して止着される。これにより、筒状部２００がシート部２０２に対してずれたり、筒状部２００とシート部２０２との間に隙間が生じることを防止することができ、吸収性物品１の着用者に対する密着性をより向上することができる。また、端部２６の両側の角部２５に角部面ファスナ４１が設けられることにより、どちら側の角部２５から先に折り返しても筒状部２００を形成することができるため、吸収性物品１の装着を行う者の利き手等にかかわらず、吸収性物品１を容易に着用することができる。
【００３９】
さらに、吸収性物品１では、シート部２０２上の角部面ファスナ４１により吸収性物品１を外装物品に止着することにより、吸収性物品１の外装物品内におけるずれ等を防止し、吸収性物品１の着用者に対する密着性をさらに向上することができる。また、本体部２の長手方向の両側の端部２６，２７に角部面ファスナ４１が設けられることにより、どちら側の端部においても筒状部２００を形成することができるため、装着時に吸収性物品１の向きを変更する必要がなく、吸収性物品１を迅速に着用することができる。
【００４０】
本体部２の端部２６では、エッジ部２４がバックシート２３側に折り返されることにより、エッジ部２４が着用者側に突出して陰茎の付け根近傍に強く接触することを抑制することができるため、吸収性物品１の着用感を向上することができる。また、２つの角部面ファスナ４１が、止着部非存在領域（すなわち、止着部である面ファスナが設けられない領域）を間に挟んで個別に配置されることにより、陰茎の付け根近傍において面ファスナが着用者の肌に接触することを防止して吸収性物品１の着用感をさらに向上することができる。
【００４１】
吸収性物品１では、折り返されたエッジ部２４が２つの角部面ファスナ４１（すなわち、筒状部２００を形成する一の角部面ファスナ４１、および、当該一の角部面ファスナ４１とは個別にバックシート２３上に設けられた他の角部面ファスナ４１）によりバックシート２３上に止着されることにより、エッジ部２４を折り返した状態で固定することができるため、筒状部２００を容易に形成して吸収性物品１を容易に着用することができる。
【００４２】
本体部２の端部２６では、エッジ部２４の外側の面（すなわち、折り返された状態で角部面ファスナ４１に対向する面）となるバックシート２３が、角部面ファスナ４１に止着可能な不織布により形成されていることにより、エッジ部２４を角部面ファスナ４１に容易に止着することができる。吸収性物品１では、バックシート２３として、撥水性または不透液性のプラスチックフィルムの外側に不織布が積層された複合材料が利用されてもよく、この場合も、本体部２の端部２６においてバックシート２３の外側の面（すなわち、着用者側とは反対側の面）が不織布により形成されていることにより、上記同様、エッジ部２４を角部面ファスナ４１に容易に止着することができる。
【００４３】
次に、本発明の第２の実施の形態に係る吸収性物品１ａについて説明する。図４は、吸収性物品１ａを示す底面図である。図４に示すように、吸収性物品１ａでは、本体部２の長手方向の両側の端部２６，２７のそれぞれにおいて、２つの角部面ファスナ４１の間に中央止着部である中央面ファスナ４２が設けられる。その他の構成は図１ないし図３．Ｄと同様であり、以下の説明において同符号を付す。吸収性物品１ａも、第１の実施の形態と同様に、吸収パッドおよび男性用尿吸収物品のいずれの目的でも使用することができる。
【００４４】
図４に示すように、中央面ファスナ４２は、本体部２の一方側の端部２６および他方側の端部２７のバックシート２３上において、本体部２の幅方向のおよそ中央から当該幅方向の両側に伸びる。中央面ファスナ４２の長手方向の長さ（すなわち、短い方の幅）は、角部面ファスナ４１の長手方向の長さよりも小さい。また、中央面ファスナ４２は、角部面ファスナ４１の長手方向の中央よりもエッジ部２４側に偏って配置されている。
【００４５】
図５は、吸収性物品１ａの一方の端部近傍を示す底面図である。吸収性物品１ａが男性用尿吸収物品として使用される際には、本体部２の端部２６においてエッジ部２４がバックシート２３側へと折り返され、中央面ファスナ４２および２つの角部面ファスナ４１によりバックシート２３上に止着される。このとき、吸収性物品１ａでは、バックシート２３側に折り返されたエッジ部２４により、中央面ファスナ４２の全体と角部面ファスナ４１の一部とが覆われる。そして、角部面ファスナ４１のエッジ部２４から露出する部位（すなわち、エッジ部２４と重ならない部位）により２つの角部２５が互いに止着されて筒状部２００（図３．Ｂ参照）が形成される。
【００４６】
吸収性物品１ａでは、角部面ファスナ４１に加えて中央面ファスナ４２が設けられることにより、吸収性物品１ａが吸収パッドとして使用される際に、吸収性物品１ａを外装物品に対して強固に止着することができる。また、吸収性物品１ａが男性用尿吸収物品として使用される際に、中央面ファスナ４２の全体がエッジ部２４により覆われることにより、陰茎の付け根近傍において中央面ファスナ４２が着用者の肌に接触することを防止して吸収性物品１ａの着用感を向上することができる。
【００４７】
吸収性物品１ａでは、中央面ファスナ４２は、幅方向に配列された小さな面ファスナの集合であってもよい。また、吸収性物品１ａでは、必ずしも角部面ファスナ４１と中央面ファスナ４２とが個別に設けられる必要はなく、図６に示すように、一の角部２５から反対側の角部２５まで幅方向のほぼ全長に亘って伸びる一体物の面ファスナ４３が設けられてもよい。この場合、面ファスナ４３のうち、角部２５上に位置する部位が角部面ファスナに対応し、当該角部面ファスナに対応する部位の間の細い部位が中央面ファスナに対応する。
【００４８】
次に、本発明の第３の実施の形態に係る吸収性物品１ｂについて説明する。図７は、吸収性物品１ｂを示す底面図である。図７に示すように、吸収性物品１ｂでは、本体部２の長手方向の両側の端部２６，２７のそれぞれにおいて、図１に示す２つの角部面ファスナ４１に代えて１つの面ファスナ４３ａが設けられ、また、エッジ部２４に代えてエッジ部２４とは形状が異なるエッジ部２４ａが設けられる。その他の構成は図１ないし図３．Ｄと同様であり、以下の説明において同符号を付す。吸収性物品１ｂも、第１の実施の形態と同様に、吸収パッドおよび男性用尿吸収物品のいずれの目的でも使用することができる。
【００４９】
図７に示すように、面ファスナ４３ａは、一の角部２５から反対側の角部２５まで幅方向のほぼ全長に亘って伸びており、長手方向の長さは一定とされる。面ファスナ４３ａでは、角部２５上に位置する部位が、第１および第２の実施の形態に係る吸収性物品の角部面ファスナに対応し、当該角部面ファスナに対応する部位の間の部位が、第２の実施の形態に係る吸収性物品の中央面ファスナに対応する。
【００５０】
エッジ部２４ａでは、幅方向の両側の部位２４１の長手方向の長さが、当該部位２４１の間の部位２４２の長手方向の長さよりも小さくされる。エッジ部２４ａでも、第１の実施の形態と同様に、角部２５の側縁部におけるエッジ部２４ａの長手方向の長さは１０ｍｍ以上４０ｍｍ以下とされることが好ましい。
【００５１】
図８は、吸収性物品１ｂの一方の端部近傍を示す底面図である。吸収性物品１ｂが男性用尿吸収物品として使用される際には、本体部２の端部２６においてエッジ部２４ａがバックシート２３側へと折り返され、面ファスナ４３ａによりバックシート２３上に止着される。このとき、吸収性物品１ｂでは、エッジ部２４ａにより面ファスナ４３ａの大部分が覆われ、両側の角部２５の幅方向の端部においてのみ、面ファスナ４３ａの一部がエッジ部２４ａから露出する。そして、面ファスナ４３ａのエッジ部２４ａから露出する部位（すなわち、エッジ部２４ａと重ならない部位）により２つの角部２５が互いに止着されて筒状部２００（図３．Ｂ参照）が形成される。
【００５２】
吸収性物品１ｂでは、角部２５のみならず角部２５間にも面ファスナ４３ａが設けられることにより、吸収性物品１ｂが吸収パッドとして使用される際に、吸収性物品１ｂを外装物品に対して強固に止着することができる。また、吸収性物品１ｂが男性用尿吸収物品として使用される際に、面ファスナ４３ａの幅方向の端部以外の部位がエッジ部２４ａにより覆われることにより、陰茎の付け根近傍において面ファスナ４３ａが着用者の肌に接触することを防止して吸収性物品１ｂの着用感を向上することができる。
【００５３】
以上、本発明の実施の形態について説明してきたが、本発明は上記実施の形態に限定されるものではなく、様々な変更が可能である。
【００５４】
例えば、第１および第２の実施の形態に係る吸収性物品では、エッジ部２４がバックシート２３側に折り返された状態で、角部面ファスナ４１の全体がエッジ部２４と重ならずにエッジ部２４から露出していてもよい。なお、筒状部２００を形成するという観点からは、角部面ファスナ４１の少なくとも一部がエッジ部２４と重ならないように角部面ファスナ４１が設けられていればよい。
【００５５】
図９は、吸収性物品の他の例を示す底面図である。図９では、吸収性物品１ｃの一部を図示する。図９に示すように、吸収性物品１ｃでは、本体部２の長手方向の端部２６において、一の角部２５にのみ角部面ファスナ４１が設けられるとともに、幅方向のおよそ中央であって端部２６よりも長手方向の中央寄りに面ファスナ４３ｂが設けられる。吸収性物品１ｃが吸収パッドとして使用される際には、角部面ファスナ４１および面ファスナ４３ｂにより、吸収性物品１ｃが外装物品に対して強固に止着される。また、吸収性物品１ｃが男性用尿吸収物品として使用される際には、角部面ファスナ４１により筒状部２００（図３．Ｂ参照）が形成される。
【００５６】
第１ないし第３の実施の形態に係る吸収性物品では、長手方向の両側の端部に設けられる面ファスナの形状は、互いに異なっていてもよい。また、吸収性物品では、吸収パッドとして使用される場合のずれや捩れを確実に防止するという観点、および、男性用尿吸収物品として使用される場合の容易かつ迅速な着用を実現するという観点からは、本体部２の４つの角部２５に角部面ファスナが設けられることが好ましいが、吸収性物品のずれや捩れを許容範囲内（例えば、尿等の漏出がなく、着用時の不快感もない範囲内）に抑えることができる場合等、角部面ファスナは本体部２の少なくとも一の角部２５に設けられていればよい。
【００５８】
吸収性物品では、また、角部止着部や中央止着部として、面ファスナに代えて例えば粘着テープが利用されてもよい。この場合、バックシート２３がプラスチックフィルムのみから形成されていても、バックシート２３側に折り返されたエッジ部を、粘着テープによりバックシート２３上に止着することができる。
【図面の簡単な説明】
【００６０】
【図１】第１の実施の形態に係る吸収性物品の平面図である。
【図２】吸収性物品の断面図である。
【図３．Ａ】吸収性物品の一部を示す底面図である。
【図３．Ｂ】吸収性物品の平面図である。
【図３．Ｃ】吸収性物品の斜視図である。
【図３．Ｄ】吸収性物品の平面図である。
【図４】第２の実施の形態に係る吸収性物品の底面図である。
【図５】吸収性物品の一部を示す底面図である。
【図６】吸収性物品の一部を示す底面図である。
【図７】第３の実施の形態に係る吸収性物品の底面図である。
【図８】吸収性物品の一部を示す底面図である。
【図９】吸収性物品の他の例を示す底面図である。
【符号の説明】
【００６１】
１，１ａ〜１ｃ    吸収性物品
２    本体部
３    側壁部
２１    トップシート
２２    吸収コア
２３    バックシート
２４，２４ａ    エッジ部
２５    角部
２６，２７    端部
４１    角部面ファスナ
４２    中央面ファスナ
４３，４３ａ，４３ｂ    面ファスナ
２００    筒状部
２０２    シート部
【図１】
0004778820.tif 000002
【図２】
0004778820.tif 000003
【図３．Ａ】
0004778820.tif 000004
【図３．Ｂ】
0004778820.tif 000005
【図３．Ｃ】
0004778820.tif 000006
【図３．Ｄ】
0004778820.tif 000007
【図４】
0004778820.tif 000008
【図５】
0004778820.tif 000009
【図６】
0004778820.tif 000010
【図７】
0004778820.tif 000011
【図８】
0004778820.tif 000012
【図９】
0004778820.tif 000013